(57)【要約】【課題】  ツルを折畳んだ状態でコンパクト化されるメガネの提供。【解決手段】  フロント部１の両側にツル２，２を折畳み出来るように取付け、該ツル２，２の長さはフロント部１の幅寸法の１／２以下とし、該フロント部１の背面７には凹溝６，６を形成し、この凹溝６，６に折畳まれたツル２，２が嵌ることが出来る。【選択図】    図２
2010266659.tif 000002
【特許請求の範囲】
【請求項１】
フロント部の両側にツルを折畳み出来るように取付けたメガネにおいて、該ツルの長さはフロント部の幅寸法の１／２以下とし、該フロント部の背面にはリムの形状に沿って凹溝を形成し、この凹溝に折畳まれたツルが嵌ることが出来るようにしたことを特徴とするツルが格納されるメガネ。
【請求項２】
折畳まれて凹溝に嵌ったツルを引き出す為に、ツル先端部にはツマミテープなどのツマミ部を取付けた請求項１記載のツルが格納されるメガネ。
【請求項３】
フロント部の中央に位置する連結部に蝶番などの継手を設け、該継手を介してフロント部が２つ折りされる請求項１、又は請求項２記載のツルが格納されるメガネ。
【発明の詳細な説明】
【技術分野】
【０００１】
本発明はツルをフロント部の背面に形成した凹溝に嵌って格納されるメガネに関するものである。
【背景技術】
【０００２】
図４は一般的なメガネの外観を表しているが、同図に示すようにメガネはフロント部（イ）と２本のツル（ロ）、（ロ）から成り、ツル（ロ）、（ロ）は該フロント部（イ）の両側に取付けられている。メガネを顔に掛ける場合には同図のように２本のツル（ロ）、（ロ）は開かれるが、顔から外されると該ツル（ロ）、（ロ）は折畳まれる。
【０００３】
フロント部（イ）は両リム（ハ）、（ハ）を連結部材（ニ）にて連結して構成され、リム（ハ）、（ハ）にはレンズ（ホ）、（ホ）が嵌っている。そして、両側には概略Ｌ形をしたヨロイ（ヘ）、（ヘ）がロウ付けされ、このヨロイ（ヘ）、（ヘ）に蝶番（ト）、（ト）を介して上記ツル（ロ）、（ロ）が取付けられ、従って該ツル（ロ）、（ロ）は折畳まれる。ツル（ロ）、（ロ）を連結する継手は上記蝶番（ト）、（ト）以外にも色々あるが、基本的には折畳み出来る構造と成っている。
【０００４】
折畳まれたツル（ロ）、（ロ）はフロント部（イ）の背面側（裏面側）に重なり、携帯する時にはケースに収容することが出来る。しかし、同図に示す従来のメガネの場合、ツル（ロ）、（ロ）を折畳んだ状態でもその厚さはある程度の寸法があり、薄いケースに収容することは出来ない。特に、老眼鏡などは新聞や雑誌を読む際にのみ着用する為にケースに入れて携帯する場合が多いことから、嵩張らないようにコンパクトなメガネとすることが要求されるが、従来のメガネではケースに収容しても嵩張ることから、スーツのポケットに入れて携帯することは不便を感じる。
【０００５】
特開２００２−１８２１６３号に係る「折畳式眼鏡」は、ゴーグル部は中央のブリッジ部で二つ折り可能であり、各つる部は、ゴーグル部の両端に折畳み自在に設けられた第１つる部とそれに連結される第２つる部とから構成され、折畳む際にレンズに傷を付けないようにしている。
そこで、 第１、第２つる部の夫々には長手方向に沿って長孔が形成されており、第１つる部の長孔の前方端はレンズ枠の外側端部の近くに位置するように設定され、第１つる部の後方端は第２つる部の長孔に摺動可能に且つ抜け止め状態に収容保持され、第２つる部の前方端は第１つる部の長孔に対して内側から外側へ屈曲して挿入されると共に摺動可能に且つ抜け止め状態に保持されている。
【０００６】
第３０６１４２１号に係る「折畳み眼鏡枠」は、レンズ枠とブリッジの両端とは内側に畳めるようにヒンジで繋がれ、レンズ枠と第一ツルも内側に畳めるようにヒンジで繋がれている。第一ツルには、その内側に嵌合溝が形成され、第一ツルの末端の内側に第二ツルの先端が嵌まり合いプランジャー形ピンにより連結されている。プランジャー形ピンは、筒体の下端にピンが固設され、筒体の内部にはスプリングと断面凸形の可動ピンとが順次装入され、筒体の上部は外径を絞って可動ピンの台座部分を抜け止め部としている。
【０００７】
このように、コンパクトに折畳んでケースに収容することが出来るメガネは色々存在しているが、十分なコンパクト化は実現されていない。
【特許文献１】特開２００２−１８２１６３号に係る「折畳式眼鏡」
【特許文献２】第３０６１４２１号に係る「折畳み眼鏡枠」
【発明の開示】
【発明が解決しようとする課題】
【０００８】
このように、折畳むことでコンパクト化することで携帯し易くしたメガネが色々と知られている。しかし、フロント部を２つ折りするならばその厚さは２倍に成ってしまう。ツルを２つ折りした場合も同じである。本発明が解決しようとする課題はこの問題点であり、メガネを外してツルを折畳む場合、厚さが大きくならないようにツルがフロント部に形成した凹溝に格納されるメガネを提供する。
【課題を解決するための手段】
【０００９】
本発明に係るメガネは、基本形態は従来と同じくフロント部を両ツルから成り、ツルはフロント部の両側に継手を介して取付けられ、メガネを外すならばツルは折畳むことが出来る。そして、フロント部の背面には凹溝が形成され、この凹溝に折畳まれたツルが嵌合して格納される。従って、折畳まれたツルはフロント部背面から殆ど突出しないように格納される。ここで、ツルが折畳み出来るように連結される継手構造は特に限定されず、又、ツルの形状の任意である。そして、凹溝に嵌ったツルを該凹溝から引出して開くことが出来るように、ツマミ手段を設けている。
【発明の効果】
【００１０】
本発明に係るメガネは一般には老眼鏡が対象となるが、メガネを顔から外してツルを折畳むならば、該ツルはフロント部の背面（裏面）に形成している凹溝に嵌って格納される。従って、折畳まれたツルはフロント部の背面に重なり合うことなく、ツルが凹溝に嵌ることでフロント部の厚さとなり、収容されるケースは非常に薄くてコンパクト化され、スーツのポケットに入れて携帯することが出来る。そして、折畳まれたツルはフロント部の背面から突出しない為に、不用意に放置されたメガネが踏まれても、ツルが折れたり継手が損傷することはない。
【図面の簡単な説明】
【００１１】
【図１】本発明に係るツルが格納されるメガネの外観図。
【図２】ツルを折畳んだ状態でのフロント部の背面図。
【図３】図２のＡ−Ａ断面拡大図。
【図４】従来の一般的なメガネの外観図。
【発明を実施するための形態】
【００１２】
図１は本発明に係るメガネを示す実施例であり、フロント部１の両側にはツル２，２が折畳み出来るように取付けられている。該メガネを掛ける場合には、同図に示すようにツル２，２を開いた状態で着用するが、ケースに収容する際には該ツル２，２は折畳まれる。
【００１３】
同図に示すフロント部１及びツル２，２の形状は１具体例に過ぎないが、基本的には老眼鏡が対象となり、ツル２，２はコ形を成し、その長さは短くて耳に係止することはなく、顔の側面を押圧することで該メガネを安定して着用することが出来る。その為に該ツル２，２は撓み変形することで弾性変形に伴う適度な押圧力が顔の側面に作用するようになる。
【００１４】
フロント部１は樹脂の成形品であり、連結部３の両側にはリム４，４が形成され、リム４，４にはレンズが嵌っている。そして、フロント部１を支える為に鼻の両脇に当る鼻当てパット５，５がリム４，４の中央側に一体的に成形されている。すなわち、樹脂製のフロント部である為に、連結部１、両リム４，４、及び鼻当てパット５，５は射出成形によって一体的に形成される。勿論、該フロント部１は必ずしも樹脂の射出成形品に限るものではなく、樹脂製板を削り出して加工することもある。
【００１５】
ところで、上記ツル２，２はフロント部１の両側に取付けられているが、継手を介して折畳まれる。この場合、フロント部１の背面（裏面）には凹溝が形成されていて、折畳まれたツル２，２は該凹溝に嵌って格納される。従来のメガネの場合、折畳まれたツルはフロント部の背面に重なり合うように成るが、本発明では凹溝に嵌ってしまい、フロント部１の厚さ内に収まる。
【００１６】
図２はフロント部１の背面を示しているが、ツル２は凹溝６に嵌っている。その為に、フロント部１を形成するリム４の背面には凹溝６が形成され、その為に、ツル２はリム４とほぼ同じコ形形状をしている。継手７，７はリム４の外側に埋着され、概略コ形のツル４の基端は該継手７，７に固定されている。ここで、継手７はリム４の背面から突出しないように埋着されて、ツル２の折畳み操作を可能としている。
【００１７】
図３は図２のＡ−Ａ断面拡大図を示しているように、凹溝６にツル２が嵌り、該ツル２は背面８からはみ出さないように成っている。勿論、僅かにはみ出す場合には何ら差し支えないが、大きくはみ出すことがないように凹溝６の深さはツル２の太さとしている。
【００１８】
このように、ツル２，２を折畳むことで背面８に形成した凹溝６，６に嵌るが、メガネを掛ける際にはツル２，２を凹溝６，６から取出して開くことが必要となる。そこで、ツル２，２の先端部に柔らかいツマミテープを取付け、このツマミテープにて凹溝６，６に収容されているツル２，２が引き出される。勿論、ツマミテープに限るものではないが、テープであれ柔軟性があることから凹溝６からははみ出していても何ら問題はなく、ツル２，２の折畳みにも支障を来たさない。
【００１９】
本発明のメガネはツル２，２を凹溝６，６に収容することでコンパクト化し、収容ケースの厚さはフロント部１が入る大きさでよい。一方、本発明ではツル２，２を背面８に形成した凹溝６，６に収容した状態で、さらにフロント部１を２つ折り出来る構造とすることも出来る。この場合、連結部３の中央に蝶番などの継手を取付けて該フロント部１は折畳まれる。
【００２０】
ところで、蝶番継手を連結部３の背面側に取付けて正面からの外観が損なわれないようにすると共に、折畳み方向は内側とすることが出来る。正面側に折畳むことが出来ないようにすることで、メガネを掛ける際にツル２，２を外方向へ開こうとする押圧力が作用してもフロント部１が折畳まれることはない。そして、凹溝６，６にツル２，２が嵌っていることでフロント部１が内側（背面側）に折畳まれても該ツル２，２が邪魔になることはない。
【００２１】
図１に示すメガネのフロント部１は樹脂製であるが、その材質は限定しない。例えばアルミ製とすることも出来、この場合には背面８に設けられる凹溝６は一般に切削にて加工される。又、ツル２の形状は概略コ形とする場合に限るものではなく、概略Ｌ形とするなど、リム４の形状に沿ったものと成る。そして、ツル２の材質は顔側面に適度な押圧力が作用するように撓み変形（弾性変形）することが出来るものが用いられる。
【符号の説明】
【００２２】
１  フロント部
２  ツル
３  連結部
４  リム
５  鼻当てパット
６  凹溝
７  継手
８  背面
【図１】
2010266659.tif 000003
【図２】
2010266659.tif 000004
【図３】
2010266659.tif 000005
【図４】
2010266659.tif 000006